(57)【要約】【課題】  パネルを壁体に対して適宜の位置で高い弾性力で固定することができるようにすること。【解決手段】  壁体Ｗに保持されたパネルＰの両端に被せられる縁枠ＥＦの係入溝ＥＦ３に摺動自在に差し込んで係入される保持片２０を有するパネル固定具１０を備え、このパネル固定具１０は、壁体Ｗに係合する壁側係合片１４とパネルＰに係合するパネル側係合片１６とこれらの係合片１４、１６に一体に連続していて係合片１４、１６の間隔を可変することができる弾性付与湾曲片１８とから成っている。パネルＰは、湾曲片１８の弾性によって広がろうとする係合片１４、１６によって壁体Ｗに固定される。【選択図】図２
2008190273.tif 000002
【特許請求の範囲】
【請求項１】
壁体と前記壁体に保持されるパネルとを固定するためのパネル固定具において、前記壁体とパネルとの間に配置される固定具本体から成り、前記固定具本体は、前記壁体に係合する壁側係合片と、前記パネルに係合するパネル側係合片と、前記壁側係合片とパネル側係合片とに一体的に連続し前記壁側係合片とパネル側係合片との間隔を可変することができる弾性付与湾曲片とを有することを特徴とするパネル固定具。
【請求項２】
請求項１に記載のパネル固定具であって、前記固定具本体に一体的に設けられ、前記壁体、パネル、前記壁体及び／又はパネルに関連する部材のいずれかに保持されるべき保持片を更に備えたことを特徴とするパネル固定具。
【請求項３】
請求項２に記載のパネル固定具であって、前記保持片は、前記パネルと前記壁体との間を隠蔽する縁枠の係入溝内に摺動自在に差し込まれることができる形態を有することを特徴とするパネル固定具。
【請求項４】
壁体と前記壁体に保持されるパネルとを固定するためのパネル固定具を備えたパネル固定装置において、前記パネル固定具は、前記壁体とパネルとの間に配置される固定具本体から成り、前記固定具本体は、前記壁体に係合する壁側係合片と、前記パネルに係合するパネル側係合片と、前記壁側係合片とパネル側係合片とに一体的に連続し前記壁側係合片とパネル側係合片との間隔を可変することができる弾性付与湾曲片と、前記パネルと前記壁体との間を隠蔽する縁枠の係入溝内に摺動自在に差し込まれる保持片とを有することを特徴とするパネル固定装置。
【請求項５】
請求項４に記載のパネル固定装置であって、前記パネルは、前記壁体に保持され、また前記パネル固定具は、前記パネルと前記壁体との間で前記パネルと前記縁枠とを相互に弾性的に固定していることを特徴とするパネル固定装置。
【請求項６】
請求項５に記載のパネル固定装置であって、前記縁枠は、前記パネルの縁に対向する係合縁を有し、前記パネルは、前記パネル固定具によって前記縁枠の係合縁に係合するように付勢されることを特徴とするパネル固定装置。
【請求項７】
請求項４に記載のパネル固定装置であって、前記縁枠は、前記パネルの左右両端を支持するように前記パネルの外側で前記壁体に固定される固定部を有することを特徴とするパネル固定装置。
【請求項８】
請求項４に記載のパネル固定装置であって、前記パネルの左右両端を支持するように前記パネルに対向する位置で前記壁体に固定される固定部を有することを特徴とするパネル固定装置。
【発明の詳細な説明】
【技術分野】
【０００１】
本発明は、例えば、室内の壁体に保持されるパネルを壁体に固定するパネル固定具に関し、またこのパネル固定具を用いてパネルを壁体に固定するパネル固定装置に関するものである。
【背景技術】
【０００２】
室内の壁体に種々の目的でパネルを取付けることが行なわれている。このパネルは、例えば、壁体である垂直壁板や水平壁板（天井板）に取付けられる装飾用内装パネルであったり、垂直壁板に取付けられる棚の背板パネルであったりする。
【０００３】
この種のパネルは、適宜の手段で壁体に取り付けられ、その幾つかの例が特許文献１及び２に示されている。
【０００４】
特許文献１は、垂直壁板に内装パネルを取り付ける構造を示し、この構造では、パネルは、壁体にねじ止めされた保持枠の保持隙間に弾性的に嵌め込んで取付けられる。保持枠は、断面Ｅ字形の枠本体から成り、壁体に係合する後面片を壁体にねじ止めし、前面片と中間片との間の隙間にパネルを差し込んでパネルを壁体に取付けるか（図７参照）、別体に形成された前面片と後面片とから成っており、この前面片と後面片とがねじと長孔とで間隔を調整できるように形成された相互に重合する側片を有し、パネルが差し込まれるべき隙間は、前面片と側片のねじに螺合する保持部材との間で形成されている（図１参照）。
【０００５】
しかし、この構造では、保持枠は、壁体にねじ止めして固定されるので、保持枠とパネルとの位置関係の設定が難しく、保持枠の取付け位置を自由に決めることができない欠点があり、また弾性隙間は、保持枠の前面片と中間片又は保持部材との間で形成されているが、前面片や中間片のように独立した１つの片から成っているにすぎないので、パネルを保持する弾性力が弱い欠点があった。
【０００６】
特許文献２は、水平壁板（天井板）に天井パネルを取り付ける構造を示し、この構造も、パネルは、壁体にねじ止めされた断面Ｕ字形の保持枠の保持隙間に弾性的に嵌め込んで取付けられるが、保持隙間は、上面片の内面に突設する弾性体と下面片の内側折曲部との間で形成されている。
【０００７】
この特許文献２の構造も、実質的に特許文献１の構造と同じであり、特許文献１と同様に、保持枠の取付け位置の設定が難しく、また弾性保持力が弱い欠点があった。
【０００８】
【特許文献１】実開平５−８９６７２号公報
【特許文献２】特開平３−２７９５５５号公報
【特許文献３】特開２００４−１８７９６８号公報
【発明の開示】
【発明が解決しようとする課題】
【０００９】
本発明が解決しようとする１つの課題は、パネルを壁体に対して適宜の位置で高い弾性力で固定することができるパネル固定具を提供することにある。
【００１０】
本発明が解決しようとする他の課題は、パネルを壁体に保持する保持手段とは独立してパネルを壁体に対して適宜の位置で高い弾性力で固定することができるパネル固定装置を提供することにある。
【課題を解決するための手段】
【００１１】
本発明の第１の課題解決手段は、壁体とこの壁体に保持されるパネルとを固定するためのパネル固定具において、壁体とパネルとの間に配置される固定具本体から成り、この固定具本体は、壁体に係合する壁側係合片と、パネルに係合するパネル側係合片と、この壁側係合片とパネル側係合片とに一体的に連続し壁側係合片とパネル側係合片との間隔を可変することができる弾性付与湾曲片とを有することを特徴とするパネル固定具を提供することにある。
【００１２】
本発明の第１の課題解決手段において、固定具本体に一体的に設けられ、壁、パネル、壁及び／又はパネルに関連する部材のいずれかに保持されるべき保持片を更に備えている形態とすることができる。
【００１３】
この場合、保持片は、壁体とパネルとの間を隠蔽する縁枠の係入溝内に摺動自在に差し込むことができる形態とすることができる。
【００１４】
本発明の第２の課題解決手段は、壁体とこの壁体に保持されるパネルとを固定するためのパネル固定具を備えたパネル固定装置において、パネル固定具は、壁体とパネルとの間に配置される固定具本体から成り、この固定具本体は、壁体に係合する壁側係合片と、パネルに係合するパネル側係合片と、壁側係合片とパネル側係合片とに一体的に連続し壁側係合片とパネル側係合片との間隔を可変することができる弾性付与湾曲片と、パネルと壁体との間を隠蔽する縁枠の係入溝内に摺動自在に差し込まれる保持片とを有することを特徴とするパネル固定装置を提供することにある。
【００１５】
本発明の第２の課題解決手段において、パネルは、壁体に保持され、パネル固定具は、パネルと壁体との間でパネルと縁枠とを相互に弾性的に固定することができ、この場合、縁枠は、パネルの縁に対向する係合縁を有し、パネルは、パネル固定具によって縁枠の係合縁に係合するように付勢されるのが好ましい。また、パネルは、壁体に固定するのではなく、パネルの左右両端を支持するようにパネルの外側又はパネルに対して対向する位置で壁体に固定される縁枠の固定部によって固定するようにしてもよい。
【発明の効果】
【００１６】
本発明によれば、パネル固定具は、壁体に固定することなく、壁体とパネルとの間の適宜位置に配置することができるので、パネルや壁体との位置関係を自由に設定することができ、従ってパネルを壁体に保持する手段の位置の設定が厳密である必要はない。
【００１７】
また、パネル固定具は、一片の弾性ではなく、壁側係合片とパネル側係合片とを連続する湾曲片によって弾性を付与するので、パネルを固定する弾性保持力が大きく、パネルを確実に弾性的に固定することができる。
【発明を実施するための最良の形態】
【００１８】
本発明の好ましい実施の形態によるパネル固定具１０を用いて複数の上下のパネルＰを壁体Ｗに固定している状態の一例が図１乃至図６に示されている。図示の形態では、これらのパネルＰは、後に述べるように、壁体Ｗに取り付けられる棚組立体Ｓの一部（背板用装飾パネル）を構成している。
【００１９】
複数の上下のパネルＰは、複数のパネル保持枠ＰＦよって保持されており、このパネル保持枠ＰＦは、水平な枠本体ＰＦ１と、この枠本体ＰＦ１の上方に延び壁体ＷにねじＳＣによって固定される上側片ＰＦ２と、枠本体ＰＦ１の下方に延びる下側片ＰＦ３とから成っており、パネルＰは、上下のパネル保持枠ＰＦの間に保持されるが、パネルＰの上縁は、上側の保持枠ＰＦの枠本体ＰＦ１の縁条ＰＦ４と下側片ＰＦ３との間に挟まれて保持され、パネルＰの下縁は、下側の保持枠ＰＦの下側の枠本体ＰＦ１の縁条ＰＦ４と上側片ＰＦ２との間に保持される。
【００２０】
棚組立体Ｓの棚板ＳＢは、棚保持枠ＳＦに保持され、棚保持枠ＳＦは、棚板ＳＢを挟み込んで保持する枠本体ＳＦ１と、この枠本体ＳＦ１から延びパネル保持枠ＰＦの枠本体ＰＦ１の差込溝ＰＦ１Ｇに抜け止め状態で差し込まれるべき上側差込片ＳＦ２と、枠本体ＳＦ１から延びこの枠本体ＳＦ１を下側のパネルＰに下支えする下側支持片ＳＦ３とから成っている。この棚組立体Ｓの詳細は、例えば、特許文献３に記載されているので、詳細な説明は省略する。
【００２１】
このようにして、棚組立体Ｓは、壁体Ｗに保持されたパネルＰと、棚保持枠ＳＦと、棚板ＳＢとによって構成されていることが解かる。図示の形態では、壁体Ｗと棚板ＳＢの両端との間の隙間を隠蔽する縁枠ＥＦをパネルＰの両側に備えており、これらの縁枠ＥＦは、図２及び図７に示すように、パネルＰの両端面に係合する枠本体ＥＦ１と、この枠本体ＥＦ１から突出しパネルＰの前縁に係合する係合縁ＥＦ２と、後に述べるパネル固定具１０が摺動自在に係入する係入溝ＥＦ３とを有する。
【００２２】
パネル固定具１０は、壁体Ｗとこの壁体Ｗに保持されているパネルＰとを弾性的に固定するためのものであり、このパネル固定具１０は、図２及び図８に詳細に示されている。このパネル固定具１０は、金属、樹脂のいずれから作られていてもよい。
【００２３】
パネル固定具１０は、特に、図８から解かるように、壁体ＷとパネルＰとの間に配置される固定具本体１２から成り、この固定具本体１２は、壁体Ｗに係合する壁側係合片１４と、パネルＰに係合するパネル側係合片１６と、壁側係合片１４とパネル側係合片１６とに一体的に連続し壁側係合片１４とパネル側係合片１６との間隔を可変することができる弾性付与湾曲片１８とを有する。
【００２４】
従って、パネル固定具１０は、壁体ＷとパネルＰとの間にあって弾性付与湾曲片１８によって広がろうとする壁側係合片１４とパネル側係合片１６とによってパネルＰを壁体Ｗに対してがたつくことがないように固定している。
【００２５】
図示の形態では、パネル固定具１０は、固定具本体１２の任意の部分、図示の場合には、パネル側係合片１６に一体的に連続する保持片２０を有する。この保持片２０は、パネル側係合片１６の端部に直角に形成されており、この保持片２０は、図３の矢印ｂで示すように、壁体Ｗ及び／又はパネルＰに関連する部材としてこれらの間の隙間を隠蔽する縁枠ＥＦの係入溝ＥＦ３に摺動自在に係入されている。
【００２６】
従って、パネル固定具１０は、縁枠ＥＦの係入溝ＥＦ３に係入してこの係入溝ＥＦ３内を摺動して適宜の高さ位置に保持され（図２参照）、この位置でパネルＰを壁体Ｗに弾性的に固定すると共に、縁枠ＥＦを壁体Ｗに弾性的に固定している。
【００２７】
次に、上記棚組立体Ｓの組み立て方法を述べると、先ず、図１に示すように、上下の数段のパネル保持枠ＰＦによって複数のパネルＰを垂直方向に間隔をあけて壁体Ｗに保持し、一方、縁枠ＥＦの係入溝ＥＦ３に係入して適宜位置にパネル固定具１０を保持している縁枠ＥＦを図３の矢印ａで示すように、パネルＰの両端に押し込みながら嵌め込む。
【００２８】
このようにすると、パネル固定具１０は、壁側とパネル側の係合片１４、１６をその間隔を狭めながら壁体ＷとパネルＰとの間に挿入され、縁枠ＥＦがパネルＰに係合した位置で押し込みを停止すると、弾性付与湾曲片１８によって係合片１４、１６が広げられるような力を受けるので、パネル保持枠ＰＦによって壁体Ｗに保持されているパネルＰを壁体Ｗに弾性的に固定すると共に、縁枠ＥＦもパネルＰに弾性的に固定する。なお、この際、パネルＰは、パネル固定具１０によって縁枠ＥＦの突条の形態の係合縁ＥＦ２に圧接されるが、この係合縁ＥＦ２は、縁枠ＥＦの内面に設けられてパネルＰが緩めに係入する凹部の縁であってもよい。更に、縁枠ＥＦに係合縁を有しないで、パネル固定具１０の付勢によってパネルが他の適宜の部分、例えば、パネル保持枠の一部である縁条ＰＦ４で弾性的に係合するようにしてもよい。
【００２９】
図２、図８に示すように、弾性付与湾曲片１８は、差し込む方向の先端から後方に向けて次第に外側に傾斜するテーパ面１８Ｔを有するので、パネル固定具１０が壁体ＷとパネルＰとの間に押し込まれる際に、押し込みを円滑に行うことができ、またこの押し込みによって係合片１４、１６の間隔を狭めるのを容易にする。
【００３０】
また、特に、図８に示すように、壁側係合片１４は、その壁側に面して粗面１４Ｒを有し、この粗面１４Ｒは、壁体Ｗに摩擦的に係合することによって弾性付与湾曲片１８の広がり作用と協働してパネル固定具１０が所定位置から変位するのを防止している。
【００３１】
本発明の他の実施の形態が図９に示されている。この実施の形態では、図１乃至図７の実施の形態とは異なって、パネルＰは、パネル保持枠ＰＦではなく、縁枠ＥＦとパネル固定具１０とによって壁体Ｗに保持し固定され、縁枠ＥＦがパネル保持枠を兼ねている。
【００３２】
図９に示すように、縁枠ＥＦは、パネルの左右両端を保持するようにパネルＰの外側で壁体ＷにねじＳＣによって固定される固定部ＥＦ４を有する。図９の縁枠ＥＦは、固定部ＥＦ４を有することを除いて図１乃至図７の縁枠ＥＦと同じ構造を有する。
【００３３】
図９の形態では、予めパネル固定具１０が適当な間隔で差し込まれた左右の縁枠ＥＦの係合縁ＥＦ２にパネルＰの両端を係合した状態で縁枠ＥＦを壁体Ｗに接触させてその固定部ＥＦ４を壁体ＷにねじＳＣで固定してパネルＰを壁体Ｗに保持し、固定する。
【００３４】
図１０及び図１１は、本発明の更に他の実施の形態を示し、この実施の形態では、パネルＰは、図９の実施の形態と同様に、両側の縁枠ＥＦがパネル保持枠を兼ねているが、縁枠ＥＦの固定部ＥＦ４がパネルＰの外側ではなく、パネルＰに対向する内側に位置する点で図９の実施の形態とは異なる。
【００３５】
この実施の形態では、両側の縁枠ＥＦは、パネル固定具１０を予め差し込むのではなく、パネル固定具１０がない状態で、先ず、左右の縁枠ＥＦのみをねじＳＣで壁体Ｗに固定した後、この左右の縁枠ＥＦの間に、パネルＰを差し込み、次いで、左右の縁枠ＥＦの係入溝ＥＦ３に複数のパネル固定具１０を順次差し込んで、これらのパネル固定具１０を各パネルＰと壁体Ｗとの間に介在させてパネルＰを壁体Ｗに固定する。
【００３６】
図１０及び図１１の実施の形態では、固定部ＥＦ４がパネル固定具１０を差し込むのに支障とならないように、パネル固定具１０は、縁枠ＥＦの固定部を逃げながら囲むように係合片１４、１６が形成されている。
【００３７】
なお、図１０及び図１１の実施の形態では、係合片１４、１６が縁枠ＥＦの固定部ＥＦ４を逃げるように形成されているが、図１２に示すように、係合片１４が固定部ＥＦ４を介して壁体Ｗに係合するようにしてもよい。なお、この場合、ねじＳＣの頭は、固定部ＥＦ４の凹部に入り込んで邪魔にならないようにするのが好ましい。
【００３８】
図１、図３、図４、図５、図１１及び図１２から解かるように、パネル固定具１０は、各パネルＰ毎に左右１個ずつ配置されているが、各パネルの長さに応じて、左右各２個づつ又はそれ以上位置してもよい。図９の実施の形態も同様である。
【００３９】
また、いずれの実施の形態でも、パネル固定具１０の保持片２０の側面に縁枠ＥＦの係入溝ＥＦ３の凹条ＥＦ３Ｇに係入する突条２０Ｐを有し、これは、パネル固定具１０を係入溝ＥＦ３に位置決めする機能を有するが、この凹条ＥＦ３Ｇ及び突条２０Ｐはなくてもよい。
【００４０】
更に、上記のいずれの実施の形態でも、パネル固定具１０がパネル側係合片１６に連続する保持片２０を有していているが、この保持片２０は、壁側係合片１４に連続していてもよいし、弾性付与湾曲片１８に連続していてもよい。また、この保持片２０は、いずれの実施の形態でも、壁体ＷとパネルＰとの間を隠蔽するように壁体Ｗ及び／又はパネルＰに関連して設けられる縁枠ＥＦの係入溝ＥＦ３に係入しているが、この保持片２０は、壁体Ｗ又はパネルＰに設けられた相応する係入溝に差し込んで保持されていてもよい。
【００４１】
パネル固定具１０は、保持片２０を設けることなく、壁体ＷとパネルＰとの間に配置してもよいが、この場合、パネル固定具１０がパネルの幅方向にずれるのを防止するために、例えば、係合片１４又は１６が壁体Ｗ又はパネルＰの係合する部分に突条と凹条あるいはその逆に凹条と突条を設けてもよい。
【００４２】
弾性付与湾曲片１８は、図示の場合には、Ｖ字形であるが、これは、Ｃ字形でもよいし、Ｓ字形でもよい。Ｓ字形の場合、パネル固定具１０の弾性を強くするために、係合片１４、１６はできるだけオーバーラップするように、係合片１４、１６を平行に並べ、湾曲片１８は、一方の係合片の一端から他方の係合片の反対側の端部に跨ってＳ字形に形成するようにするのが好ましい。その理由は、係合片１４、１６がオーバーラップしていないか、オーバーラップ部分が小さいと、Ｓ字形湾曲片が小さくなり、弾性が弱くなるからである。
【産業上の利用可能性】
【００４３】
本発明のパネル固定具は、壁体に固定することなく、壁体とパネルとの間の適宜位置に配置することができるので、壁体やパネルとの位置関係を自由に設定することができ、また、パネル固定具は、一片の弾性ではなく、壁側係合片とパネル側係合片とを連続する湾曲片によって弾性を付与するので、パネルを固定する弾性保持力が大きく、パネルを確実に弾性的に固定することができ、高い産業上の利用性を有する。
【図面の簡単な説明】
【００４４】
【図１】本発明に係るパネル固定具を用いて壁体に固定されるパネルを含む棚組立体の垂直側断面図である。
【図２】図１のＩＩ−ＩＩ線水平断面図である。
【図３】図１の棚組立体において縁枠が嵌め込まれる前の状態の斜視図である。
【図４】図３と同様であるが、背面側から見た状態の斜視図である。
【図５】図４と同様に背面側から見た状態であるが、縁枠を嵌め込んだ状態の斜視図である。
【図６】図５の表側から見た状態（図１と同じ状態）の斜視図である。
【図７】図１乃至図６の棚組立体に用いられる縁枠を示し、同図（Ａ）は、その斜視図、同図（Ｂ）は、上面図である。
【図８】本発明に係るパネル固定具を示し、同図（Ａ）は、その上面図、同図（Ｂ）は、その斜視図である。
【図９】本発明の異なる実施の形態を有するパネル固定装置の水平断面図である。
【図１０】本発明の更に他の実施の形態のパネル固定装置の水平断面図である。
【図１１】図１０の装置の両側の縁枠のみを示す正面図である。
【図１２】図１０及び図１１の実施の形態に類似しているが、壁側係合片が縁枠の固定部を介して壁体に係合している点で図１０及び図１１の実施の形態と異なるパネル固定装置の水平断面図である。
【符号の説明】
【００４５】
Ｐ  パネル
Ｗ  壁体
Ｓ  棚組立体
ＰＦ  パネル保持枠
ＰＦ１  水平な枠本体
ＰＦ１Ｇ  差込溝
ＰＦ２  上側片
ＰＦ３  下側片
ＰＦ４  縁条
ＳＢ  棚板
ＳＦ  棚保持枠
ＳＦ１  枠本体
ＳＦ２  上側差込片
ＳＦ３  下側支持片
ＥＦ  縁枠
ＥＦ１  枠本体
ＥＦ２  係合縁
ＥＦ３  係入溝
ＥＦ３Ｇ  凹条
ＥＦ４  固定部
ＳＣ  ねじ
１０  パネル固定具
１２  固定具本体
１４  壁側係合片
１４Ｒ  粗面
１６  パネル側係合片
１８  弾性付与湾曲片
１８Ｔ  テーパ面
２０  保持片
２０Ｐ  突条
【図１】
2008190273.tif 000003
【図２】
2008190273.tif 000004
【図３】
2008190273.tif 000005
【図４】
2008190273.tif 000006
【図５】
2008190273.tif 000007
【図６】
2008190273.tif 000008
【図７】
2008190273.tif 000009
【図８】
2008190273.tif 000010
【図９】
2008190273.tif 000011
【図１０】
2008190273.tif 000012
【図１１】
2008190273.tif 000013
【図１２】
2008190273.tif 000014